(57)【要約】【課題】アナログ同報無線方式とデジタル同報無線方式とが共存する場合に、簡単な操作で連絡通話を可能にする同報無線システムを提供する。【解決手段】アナログ無線基地局３と、デジタル無線基地局３０と、アナログ端末５またはデジタル端末５０との連絡通話を行うために、アナログ無線基地局３からのアナログ端末５の呼び出しの制御とデジタル無線基地局３０からのデジタル端末５０の呼び出しの制御とを行う一つの操作卓６０とを設け、この操作卓６０が、アナログ端末５またはデジタル端末５０との連絡通話を指示する共通の操作に基づいて、アナログ無線基地局３からのアナログ端末５の呼び出しと、デジタル無線基地局３０からのデジタル端末５０の呼び出しとを制御するように構成している。操作卓６０の操作者は、端末がアナログ端末５であるかデジタル端末５０であるかを意識せずに連絡通話の操作を行うことができる。【選択図】　　　図１
2004072241.tif 000002
【特許請求の範囲】
【請求項１】
アナログ端末にアナログ信号を無線送信するアナログ無線基地局と、
デジタル端末にデジタル信号を無線送信するデジタル無線基地局と、
前記アナログ端末またはデジタル端末との連絡通話を行うために、前記アナログ無線基地局からの前記アナログ端末の呼び出しの制御と、前記デジタル無線基地局からの前記デジタル端末の呼び出しの制御とを行う一つの操作卓と
を備え、
前記操作卓は、前記アナログ端末またはデジタル端末との連絡通話を指示する共通の操作に基づいて、前記アナログ無線基地局からの前記アナログ端末の呼び出しと、前記デジタル無線基地局からの前記デジタル端末の呼び出しとを制御することを特徴とする同報無線システム。
【請求項２】
前記連絡通話を指示する共通の操作が、前記アナログ端末またはデジタル端末を個別に指定する操作であることを特徴とする請求項１に記載の同報無線システム。
【請求項３】
前記連絡通話を指示する共通の操作が、前記アナログ端末またはデジタル端末の群を指定する操作であることを特徴とする請求項１に記載の同報無線システム。
【請求項４】
前記連絡通話を指示する共通の操作が、前記アナログ端末及びデジタル端末の全体を指定する操作であることを特徴とする請求項１に記載の同報無線システム。
【請求項５】
前記操作卓に遠隔制御装置が接続しており、前記遠隔制御装置から前記連絡通話を指示する共通の操作が行われることを特徴とする請求項１から請求項４のいずれかに記載の同報無線システム。
【請求項６】
アナログ端末にアナログ信号を無線送信するアナログ無線基地局とデジタル端末にデジタル信号を無線送信するデジタル無線基地局とが接続する操作卓であって、
前記アナログ無線基地局からの前記アナログ端末の呼び出しの制御と、前記デジタル無線基地局からの前記デジタル端末の呼び出しの制御とを行う主制御部と、
前記アナログ端末またはデジタル端末との連絡通話を行うための操作を行う操作部と
を備え、前記主制御部が、前記操作部から行われた前記アナログ端末またはデジタル端末との連絡通話を指示する共通の操作に基づいて、前記アナログ無線基地局からの前記アナログ端末の呼び出しと、前記デジタル無線基地局からの前記デジタル端末の呼び出しとを制御することを特徴とする操作卓。
【請求項７】
前記主制御部は、前記操作部から端末を個別に指定する操作が行われたとき、指定された端末がデジタル端末であれば、前記デジタル無線基地局から前記デジタル端末を個別に呼び出す呼制御を行い、指定された端末がアナログ端末であれば、前記アナログ無線基地局からアナログ端末の全てを呼び出し、音呼びで指定されたアナログ端末を呼び出す制御を行うことを特徴とする請求項６に記載の操作卓。
【請求項８】
前記主制御部は、前記操作部から端末の群を指定する操作が行われたとき、指定された群の端末がデジタル端末であれば、前記デジタル無線基地局から前記群に含まれる前記デジタル端末を個別に呼び出す呼制御を行い、指定された端末がアナログ端末であれば、前記アナログ無線基地局からアナログ端末の全てを呼び出し、音呼びで前記群に含まれるアナログ端末を呼び出す制御を行うことを特徴とする請求項６に記載の操作卓。
【請求項９】
前記主制御部は、前記操作部から端末の全体を指定する操作が行われたとき、前記デジタル無線基地局から前記デジタル端末の全てを呼び出すとともに、前記アナログ無線基地局から前記アナログ端末の全てを呼び出す制御を行うことを特徴とする請求項６に記載の操作卓。
【請求項１０】
前記操作部が、前記制御卓に接続する遠隔制御装置に設けられていることを特徴とする請求項６に記載の操作卓。
【請求項１１】
アナログ端末にアナログ信号を無線送信するアナログ無線基地局とデジタル端末にデジタル信号を無線送信するデジタル無線基地局とが接続する操作卓から、前記アナログ無線基地局の前記アナログ端末の呼び出しと、前記デジタル無線基地局の前記デジタル端末の呼び出しとを制御する呼び出し制御方法であって、
連絡通話を行うために端末が個別に指定されたときに、指定された端末がデジタル端末であれば、前記デジタル無線基地局から前記デジタル端末を個別に呼び出す呼制御を行って、応答したデジタル端末に送信権を与え、指定された端末がアナログ端末であれば、前記アナログ無線基地局からアナログ端末の全てを呼び出して、音呼びで指定されたアナログ端末を呼び出し、応答したアナログ端末に送信権を与えることを特徴とする呼び出し制御方法。
【請求項１２】
アナログ端末にアナログ信号を無線送信するアナログ無線基地局とデジタル端末にデジタル信号を無線送信するデジタル無線基地局とが接続する操作卓から、前記アナログ無線基地局の前記アナログ端末の呼び出しと、前記デジタル無線基地局の前記デジタル端末の呼び出しとを制御する呼び出し制御方法であって、
連絡通話を行うために端末の群が指定されたときに、指定された群の端末がデジタル端末であれば、前記デジタル無線基地局から前記群に含まれる前記デジタル端末を個別に呼び出す呼制御を行って、最初に応答したデジタル端末に送信権を与え、指定された群の端末がアナログ端末であれば、前記アナログ無線基地局からアナログ端末の全てを呼び出して、音呼びで前記群に含まれるアナログ端末を呼び出し、最初に応答したアナログ端末に送信権を与えることを特徴とする呼び出し制御方法。
【請求項１３】
アナログ端末にアナログ信号を無線送信するアナログ無線基地局とデジタル端末にデジタル信号を無線送信するデジタル無線基地局とが接続する操作卓から、前記アナログ無線基地局の前記アナログ端末の呼び出しと、前記デジタル無線基地局の前記デジタル端末の呼び出しとを制御する呼び出し制御方法であって、
連絡通話を行うために端末の全体が指定されたときに、前記デジタル無線基地局から前記デジタル端末の全てを呼び出すと同時に、前記アナログ無線基地局から前記アナログ端末の全てを呼び出し、最初に応答した端末に送信権を与えることを特徴とする呼び出し制御方法。
【発明の詳細な説明】
【０００１】
【発明の属する技術分野】
本発明は、市町村防災無線として利用される同報無線システムと、その操作卓と、操作卓から戸別受信機を呼び出すときの呼び出し制御方法に関し、特に、アナログ方式とデジタル方式との併用を可能にするものである。
【０００２】
【従来の技術】
市町村防災無線は、市町村が地域住民に対して屋外拡声器や戸別受信機を通じて災害情報などを知らせるために導入されている。この市町村防災無線に使用されている同報無線システムは、図１１に示すように、システムの制御装置である操作卓１が市役所などに設置され、この操作卓１のマイク等から入力された音声情報が無線基地局３を通じて無線送信され、屋外拡声器に接続する子機４や戸別受信機５で受信される。
戸別受信機５は、屋外拡声器の音声が届きにくい地域の家庭や、連絡を必要とする災害対策の地域責任者の家庭等に置かれている。操作卓１で一斉放送が選択されているときは、無線基地局３から送信された音声信号が屋外拡声器や戸別受信機５から放送される。
【０００３】
また、操作卓１で連絡通話が選択されているときは、無線基地局３から送信された無線信号が戸別受信機５で受信され、操作卓１のオペレータと応答した相手との間で会話を交わすことができる。
また、操作卓１は、消防署などに設置された遠隔制御装置２と有線接続されており、この遠隔制御装置２からも、操作卓１と同様に、一斉放送や戸別受信機５との連絡通話を、操作卓１を介して行うことができる。
【０００４】
これまでの同報無線システムは、アナログ方式が主流であり、一つの操作卓１にアナログ無線基地局３を接続して通信が行われている。図８は、アナログ方式のシステムにおける操作卓１のブロック構成を示している。
この操作卓１は、遠隔制御装置２の同報機能を実現する遠隔制御装置制御ユニット１３と、一斉放送用の音声を記録・再生する電子式録再ユニット１４と、一斉放送の音声を入力するマイク１８と、連絡通話で使用するハンドセット１７と、マイク１８及びハンドセット１７の切り換えと屋外拡声器や戸別受信機などの外部機器１９のスイッチングとを行う音声制御ユニット１５と、タッチパネルの選択操作画面を備える表示操作部１６と、呼制御や無線制御を行う主制御部１１と、アナログ基地局無線機３が対応する信号への変換機能を有するアナログ無線接続部１２とを備えている。
【０００５】
連絡通話は、アナログ基地局無線機３を介して、戸別受信機であるアナログ端末５と操作卓１との間で行われる。同報無線システムでは、単一周波数のみが使用可能であるため、アナログシステムでの連絡通話は、“音呼び”と呼ばれる方式（全ての戸別受信機を通じて相手に呼び掛け、応答のあった相手と通話する方式）で相手を呼び出し、単信（ｓｉｍｐｌｅｘ）による通信で通話が行われる。
【０００６】
図１０は、アナログシステムでの連絡通話の手順を示している。操作卓１の操作者は、表示操作部１６の初期入力画面から（ステップ１）、戸別受信機全体を呼び出す一括を選択する（ステップ２）。このとき、音声制御ユニット１５は、主制御部１１の指示により、アナログ端末５のみが受信可能となるように外部機器１９をスイッチングする。操作者は、次に、全てのアナログ端末５から相手に呼びかける音呼びを行い（ステップ３）、応答があった相手との間でアナログ単信による通話を行う（ステップ４）。
【０００７】
また、遠隔制御装置２は、図９に示すように、ハンドセット２４及びマイク２５と、表示画面を構成する液晶表示部２１と、キー入力を行うキー入力部２３と、遠隔制御装置２を制御する制御部２２とを備えている。この制御部２２と操作卓１の遠隔制御装置制御ユニット１３との間では、ハンドセット２４やマイク２５から入力した音声信号と制御信号とが制御部２２から制御ユニット１３に出力され、また、アナログ端末５から入力した音声信号と制御信号とが制御ユニット１３から制御部２２に出力される。そのため、遠隔制御装置２では、遠隔制御装置制御ユニット１３を介して、操作卓１と同様の一斉放送や連絡通話が可能である。
【０００８】
また、近年、同報無線システムをデジタル化する開発が進められている。デジタル同報無線では、アナログ同報無線と違い、各戸別受信機に番号を付けて、連絡通話においても各戸別受信機を特定することができる。そのため、操作卓から、通常の電話と同じように戸別受信機の番号を入力して戸別受信機を個別に呼び出すことができ、また、この個別通信では複信（ｄｕｐｌｅｘ）での通話が可能である。また、同報通信についても、アナログ同報無線で行われている全体を一括する方式以外に、戸別受信機の群を指定して呼び出すこともできる。
デジタル同報無線は、こうした利便性を備えるが、市町村ではアナログシステムを全てデジタルシステムで置き換えることは難しく、今後は、アナログ同報無線システムとデジタル同報無線システムとが共存する形態を取るものと見られている。
【０００９】
【発明が解決しようとする課題】
しかし、アナログ同報無線システムとデジタル同報無線システムとが共存する場合に、アナログ同報無線システムの操作卓とデジタル同報無線システムの操作卓とを別に設けて、アナログ同報無線システムの操作卓の制御化にアナログ無線基地局やアナログ端末を置き、デジタル同報無線システムの操作卓の制御化にデジタル無線基地局やデジタル端末を置くようにシステム化すると、操作卓の操作者は、連絡通話の操作時に、連絡先の端末装置がアナログ端末であるかデジタル端末であるかを識別し、また、その違いによって全く異なる呼び出し操作を行わなければならないため、混乱を来す虞れがある。
【００１０】
本発明は、こうした課題を解決するものであり、アナログ同報無線方式とデジタル同報無線方式とが共存する場合に、簡単な操作で連絡通話を可能にする同報無線システムを提供し、また、その操作卓と、操作卓から戸別受信機を呼び出すときの呼び出し制御方法とを提供することを目的としている。
【００１１】
【課題を解決するための手段】
そこで、本発明の同報無線システムでは、アナログ端末にアナログ信号を無線送信するアナログ無線基地局と、デジタル端末にデジタル信号を無線送信するデジタル無線基地局と、アナログ端末またはデジタル端末との連絡通話を行うために、アナログ無線基地局からのアナログ端末の呼び出しの制御とデジタル無線基地局からのデジタル端末の呼び出しの制御とを行う一つの操作卓とを設け、この操作卓が、アナログ端末またはデジタル端末との連絡通話を指示する共通の操作に基づいて、アナログ無線基地局からのアナログ端末の呼び出しとデジタル無線基地局からのデジタル端末の呼び出しとを制御するように構成している。
【００１２】
また、アナログ端末にアナログ信号を無線送信するアナログ無線基地局とデジタル端末にデジタル信号を無線送信するデジタル無線基地局とが接続する操作卓において、アナログ無線基地局からのアナログ端末の呼び出しの制御と、デジタル無線基地局からのデジタル端末の呼び出しの制御とを行う主制御部と、アナログ端末またはデジタル端末との連絡通話を行うための操作を行う操作部とを設け、主制御部が、操作部から行われたアナログ端末またはデジタル端末との連絡通話を指示する共通の操作に基づいて、アナログ無線基地局からのアナログ端末の呼び出しと、デジタル無線基地局からのデジタル端末の呼び出しとを制御するように構成している。
【００１３】
また、アナログ端末にアナログ信号を無線送信するアナログ無線基地局とデジタル端末にデジタル信号を無線送信するデジタル無線基地局とが接続する操作卓から、アナログ無線基地局のアナログ端末の呼び出しと、デジタル無線基地局のデジタル端末の呼び出しとを制御する呼び出し制御方法において、連絡通話を行うために端末が個別に指定されたときは、指定された端末がデジタル端末であれば、デジタル無線基地局からデジタル端末を個別に呼び出す呼制御を行って、応答したデジタル端末に送信権を与え、指定された端末がアナログ端末であれば、アナログ無線基地局からアナログ端末の全てを呼び出して、音呼びで指定されたアナログ端末を呼び出し、応答したアナログ端末に送信権を与えるようにしている。
【００１４】
また、連絡通話を行うために端末の群が指定されたときは、指定された群の端末がデジタル端末であれば、デジタル無線基地局から前記群に含まれるデジタル端末を個別に呼び出す呼制御を行って、最初に応答したデジタル端末に送信権を与え、指定された群の端末がアナログ端末であれば、アナログ無線基地局からアナログ端末の全てを呼び出し、音呼びで前記群に含まれるアナログ端末を呼び出して、最初に応答したアナログ端末に送信権を与えるようにしている。
【００１５】
また、連絡通話を行うために端末の全体が指定されたときは、デジタル無線基地局からデジタル端末の全てを呼び出すと同時に、アナログ無線基地局からアナログ端末の全てを呼び出し、最初に応答した端末に送信権を与えるようにしている。
そのため、操作卓の操作者は、端末がアナログ端末であるかデジタル端末であるかを意識せずに連絡通話の操作を行うことができる。
【００１６】
【発明の実施の形態】
本発明の実施形態における同報無線システムでは、一台の操作卓を用いて、デジタル方式及びアナログ方式が共存するシステムを制御する。図１は、このシステムの概観図を示しており、一台の操作卓６０にデジタル無線基地局３０とアナログ無線基地局３とが有線接続し、デジタル無線基地局３０から送信される無線信号に対してデジタル子局４０及びデジタル端末５０が応答可能であり、また、アナログ無線基地局３から送信される無線信号に対してアナログ子局４及びアナログ端末５が応答可能である。
また、操作卓６０には遠隔制御装置２が有線接続しており、遠隔制御装置２からも、操作卓６０を介して、操作卓６０と同様の一斉放送や連絡通話が可能である。遠隔制御装置２の構成は、従来の装置（図９）と変わりがない。
【００１７】
図２は、この操作卓６０の構成をブロック図で示している。
この操作卓６０は、遠隔制御装置２の同報機能を実現する遠隔制御装置制御ユニット６２と、遠隔制御装置２が対応する信号への変換を行うモデムユニット６１と、一斉放送用の音声を記録・再生する電子式録再ユニット６３と、一斉放送の音声を入力するマイク１８と、連絡通話で使用するハンドセット１７と、マイク１８及びハンドセット１７の切り換えと外部機器１９のスイッチングとを行う音声制御ユニット６４と、タッチパネルの選択操作画面を備える表示操作部６５と、呼制御や無線制御を行う主制御部６６と、アナログ基地局無線機３が対応する信号への変換機能を有するアナログ無線接続部６７とを備えている。なお、図２では、操作卓６０中の制御信号の流れを実線の矢印で示し、音声信号の流れを点線の矢印で示している。
【００１８】
このシステムでは、屋外拡声器や全てのアナログ端末５及びデジタル端末５０を通じて一斉放送を行うときは、デジタル基地局無線機３０及びアナログ基地局無線機３から同時に、または時分割で、電波が送信される。
また、このシステムでは、連絡通話を管理するため、デジタル端末５０に対して番号を登録するとともに、アナログ端末５に対しても、番号を登録する。この番号登録の操作は表示操作部６５で行う。登録番号と端末との関係は、主制御部６６が参照可能なメモリに格納される。
【００１９】
また、群を構成するデジタル端末５０の番号を群番号と対応付け、また、群を構成するアナログ端末５の番号を群番号と対応付けて表示操作部６５から登録する。このとき、同じ群にアナログ端末５とデジタル端末５０とが混在しないように群を分ける。この群番号とその群に属する端末の番号との対応関係も先のメモリに格納される。
また、登録された端末の番号や群番号は、その端末が設置されている各戸に通知される。
【００２０】
このシステムでは、操作卓６０から連絡通話を行う方法として、端末の番号を指定して端末を呼び出す「個別呼び出し」と、群を指定して端末を呼び出し、最初に応答した端末と通話する「群呼び出し」と、全ての端末を一括して呼び出し、最初に応答した端末と通話する「一括呼び出し」のいずれかを選択することができる。　ただし、アナログ方式の端末に対しては、「個別呼び出し」や「群呼び出し」を選択した場合でも、全体を呼び出して“音呼び”で一または複数の該当する端末の番号を呼び出す図１０の方式での呼び出しが行われる。なお、端末の番号の“音呼び”は合成音声で行うことができる。
【００２１】
このとき、操作卓６０の操作者は、呼び出す端末がアナログ方式の端末であるのかデジタル方式の端末であるのかを意識することなく、表示操作部６５の操作を行うことができ、この表示操作部６５で行われた操作に応じて、主制御部６６が、実際の呼び出し方法を選択する。この主制御部６６の動作は、操作卓６０に内蔵されたコンピュータにプログラムで規定した処理を行わせることにより実現される。
【００２２】
図３のフロー図は、操作者が表示操作部６５を操作したときの主制御部６６の処理手順を示している。
操作者が「個別呼び出し」の入力操作を行い（ステップ１０）、番号を入力すると（ステップ１１）、主制御部６６は、その番号がデジタル端末の番号であるか否かを識別し（ステップ１２）、デジタル端末の番号であるときは、デジタル基地局無線機３０から該当する番号の端末を呼び出して接続する呼制御（個別呼び出し）を行う（ステップ１３）。また、デジタル基地局無線機３０に対して、応答したデジタル端末５０との間でデジタル複信の通信を行うように無線制御する（ステップ１４）。　また、ステップ１２において、入力された番号がデジタル端末の番号でないときは、アナログ基地局無線機３から全アナログ端末５を一括して呼び出した後、該当する番号の“音呼び”を行う（ステップ１５）。また、アナログ基地局無線機３に対して、最初に応答したアナログ端末５との間でアナログ単信の通信を行うように無線制御する（ステップ１６）。
【００２３】
また、操作者が「群呼び出し」の入力操作を行い（ステップ２０）、群番号を入力すると（ステップ２１）、主制御部６６は、その群番号がデジタル端末の群番号であるか否かを識別し（ステップ２２）、デジタル端末の群番号であるときは、デジタル基地局無線機３０から、呼制御により、その群に属する各番号のデジタル端末５０を呼び出す（ステップ２３）。また、デジタル基地局無線機３０に対して、最初に応答したデジタル端末５０との間でデジタル単信の通信を行うように無線制御する（ステップ２４）。
【００２４】
また、ステップ２２において、入力された群番号がデジタル端末の群番号でないときは、アナログ基地局無線機３から全アナログ端末５を一括して呼び出した後、その群に属する各番号の“音呼び”を行う（ステップ１５）。また、アナログ基地局無線機３に対して、最初に応答したアナログ端末５との間でアナログ単信の通信を行うように無線制御する（ステップ１６）。
また、操作者が「一括呼び出し」の入力操作を行ったときは（ステップ３０）、アナログ基地局無線機３からの一括呼び出しと、デジタル基地局無線機３０からの一括呼び出しとを同時に行い（ステップ３１）、最初に応答した端末との間で通信を行うように設定し（ステップ３２）、最初に応答した端末がアナログ端末５であれば、アナログ基地局無線機３に対して、そのアナログ端末５との間でアナログ単信の通信を行うように無線制御する（ステップ３３）。また、最初に応答した端末がデジタル端末５０であれば、デジタル基地局無線機３０に対して、そのデジタル端末５０との間でデジタル単信の通信を行うように無線制御する（ステップ３４）。図４は、ステップ３０の「一括呼び出し」の入力操作が行われ、デジタル端末５０が先に応答した場合のシーケンスを示している。
【００２５】
表示操作部６５から一括呼び出しが選択されると（▲１▼）、主制御部６６は、アナログ基地局無線機３及びデジタル基地局無線機３０に呼び出し指示を出す（▲２▼）。アナログ基地局無線機３及びデジタル基地局無線機３０は、それぞれ、アナログ端末５及びデジタル端末５０を呼び出す（▲３▼）。アナログ端末５及びデジタル端末５０のそれぞれからアナログ基地局無線機３及びデジタル基地局無線機３０に応答があったが（▲４▼）、デジタル端末５０の応答の方が早かったとする。デジタル端末５０の応答を受けたデジタル基地局無線機３０は、主制御部６６に応答確認を送信する（▲５▼）。これを受けて、主制御部６６は、アナログ基地局３に対して送信禁止を通知し（▲６▼）、デジタル基地局３０に対して送信権の獲得を通知する（▲７▼）。デジタル基地局３０はデジタル端末５０に送信権獲得を通知し、主制御部６６とデジタル端末５０との間で通信が確立する（▲８▼）。
【００２６】
また、図５は、ステップ３０の「一括呼び出し」の入力操作が行われ、アナログ端末５が先に応答した場合のシーケンスを示している。ここで、▲１▼から▲４▼までの手順は図４と同じである。アナログ基地局無線機３及びデジタル基地局無線機３０の呼び出し指示に対してアナログ端末５の応答の方が早かった場合に、アナログ基地局無線機３が先に主制御部６６に応答確認を送信する（▲５▼）。これを受けて、主制御部６６は、デジタル基地局３０に対して送信禁止を通知し（▲６▼）、アナログ基地局３に対して送信権の獲得を通知する（▲７▼）。アナログ基地局３はアナログ端末５に送信権獲得を通知し、主制御部６６とアナログ端末５との間で通信が確立する（▲８▼）。
【００２７】
また、図６は、ステップ２０の「群呼び出し」の入力操作が行われ、デジタル端末の群番号が入力された場合のシーケンスを示している。
表示操作部６５からデジタル端末の群番号が選択されると（▲１▼）、主制御部６６は、その群に属するデジタル端末の番号を確認し、デジタル基地局無線機３０に、その番号を指定してデジタル端末５０の呼び出し指示を出す（▲２▼）。デジタル基地局無線機３０は、指定されたデジタル端末５０を呼び出す（▲３▼）。デジタル端末５０からデジタル基地局無線機３０に最初の応答があると（▲４▼）、デジタル基地局無線機３０は主制御部６６に応答確認を送信する（▲５▼）。これを受けて、主制御部６６は、デジタル基地局３０に対して送信権の獲得を通知する（▲６▼）。デジタル基地局３０はデジタル端末５０に送信権獲得を通知し、主制御部６６とデジタル端末５０との間で通信が確立する（▲７▼）。
【００２８】
また、図７は、ステップ２０の「群呼び出し」の入力操作が行われ、アナログ端末の群番号が入力された場合のシーケンスを示している。
表示操作部６５からアナログ端末の群番号が選択されると（▲１▼）、主制御部６６は、その群に属するアナログ端末の番号を確認し、アナログ基地局無線機３に、アナログ端末５の呼び出し指示を出し、その群に属するアナログ端末の番号の音声を出力する（▲２▼）。アナログ基地局無線機３は、アナログ端末５の一括呼び出しを行い（▲３▼）、“音呼び”で各アナログ端末の番号を呼び出す。アナログ端末５からアナログ基地局無線機３に最初の応答があると（▲４▼）、アナログ基地局無線機３は主制御部６６に応答確認を送信する（▲５▼）。これを受けて、主制御部６６は、アナログ基地局３に対して送信権の獲得を通知する（▲６▼）。アナログ基地局３はアナログ端末５に送信権獲得を通知し、主制御部６６とアナログ端末５との間で通信が確立する（▲７▼）。
【００２９】
また、遠隔制御装置２のキー入力部２３からも、操作卓６０の表示操作部６５と同様の操作を行うことができる。この場合、遠隔制御装置２から入力された操作指示は、モデムユニット６１で変換されて遠隔制御装置制御ユニット６２に入力し、遠隔制御装置制御ユニット６２から主制御部６６に送られる。主制御部６６は、表示操作部６６の入力操作が行われた場合と同じ処理を行う。
図４〜図７では、遠隔制御装置２から入力された指示が主制御部６６に届くまでの過程を点線の矢印で示している。
【００３０】
このように、この同報無線システムでは、連絡通話の呼び出し方式が全く異なるアナログ同報無線とデジタル同報無線とを、その違いを意識することなく、操作卓や遠隔制御装置から操作することができる。
【００３１】
【発明の効果】
以上の説明から明らかなように、本発明によれば、同報無線システムの操作卓を操作する操作者は、端末がアナログ端末であるかデジタル端末であるかを意識することなく連絡通話の操作を行うことができ、極めて操作が容易になる。
【図面の簡単な説明】
【図１】本発明の実施形態における同報無線システムを示す概観図
【図２】本発明の実施形態における操作卓の構成を示すブロック図
【図３】本発明の実施形態における操作卓での連絡通話操作方法を示すフロー図
【図４】本発明の実施形態における一括呼び出しでの連絡通話シーケンスを示す図（デジタル端末が先に応答した場合）
【図５】本発明の実施形態における一括呼び出しでの連絡通話シーケンスを示す図（アナログ端末が先に応答した場合）
【図６】本発明の実施形態における群呼び出しでの連絡通話シーケンスを示す図（デジタル端末が先に応答した場合）
【図７】本発明の実施形態における群呼び出しでの連絡通話シーケンスを示す図（アナログ端末が先に応答した場合）
【図８】従来のアナログ同報無線システムにおける操作卓の構成を示すブロック図
【図９】従来のアナログ同報無線システムにおける遠隔制御装置の構成を示すブロック図
【図１０】従来のアナログ同報無線システムにおける呼び出し手順を示すフロー図
【図１１】従来のアナログ同報無線システムを示す概観図
【符号の説明】
１　操作卓
２　遠隔制御装置
３　アナログ無線基地局
４　アナログ子局
５　アナログ端末
１１　主制御部
１２　アナログ無線接続部
１３　遠隔制御装置制御ユニット
１４　電子式録再ユニット
１５　音声制御ユニット
１６　表示操作部
１７　ハンドセット
１８　マイク
１９　外部機器
２１　液晶表示部
２２　制御部
２３　キー入力部
２４　ハンドセット
２５　マイク
３０　デジタル無線基地局
４０　デジタル子局
５０　デジタル端末
６０　操作卓
６１　モデムユニット
６２　遠隔制御装置制御ユニット
６３　電子式録再ユニット
６４　音声制御ユニット
６５　表示操作部
６６　主制御部
６７　アナログ無線接続部
【図１】
2004072241.tif 000003
【図２】
2004072241.tif 000004
【図３】
2004072241.tif 000005
【図４】
2004072241.tif 000006
【図５】
2004072241.tif 000007
【図６】
2004072241.tif 000008
【図７】
2004072241.tif 000009
【図８】
2004072241.tif 000010
【図９】
2004072241.tif 000011
【図１０】
2004072241.tif 000012
【図１１】
2004072241.tif 000013